(57)【要約】【課題】災害時に避難所のプライバシーを保護するための段ボール製間仕切構造を提供する。【解決手段】一種類の間仕切板を複数連結配置して成る段ボール製間仕切構造であって、前記間仕切板は、中折目を備えた側板の左右端縁に夫々折目を介して端板を連設し、前記中折目に沿ってL字状に折り曲げた二枚の間仕切板の一方の端板部を夫々重ね合わせ、前記中折目から浮遊する前記側板の下縁部に、垂直に起立させた端板を夫々重ね合わせるようにもう一枚の間仕切板を配置し、前記側板、端板が夫々重なり合った部分に連結材を挿入する連結部を設け、固定して成るコ字状間仕切を単数又は複数配列したのである。【選択図】図４
2006328834.tif 000002
【特許請求の範囲】
【請求項１】
一種類の間仕切板を複数連結配置して成る段ボール製間仕切構造であって、前記間仕切板は、中折目を備えた側板の左右端縁に夫々折目を介して端板を連設し、前記中折目に沿ってL字状に折り曲げた二枚の間仕切板の一方の端板部を夫々重ね合わせ、前記中折目から浮遊する前記側板の下縁部に、垂直に起立させた端板を夫々重ね合わせるようにもう一枚の間仕切板を配置し、前記側板、端板が夫々重なり合った部分に連結材を挿入する連結部を設け、固定して成るコ字状間仕切を単数又は複数配列したことを特徴とする段ボール製間仕切構造。
【請求項２】
前記コ字状間仕切を所定間隔に連結させるための連結部を側板、端板が重なり合う対応位置に夫々設けたことを特徴とする請求項１に記載の段ボール製間仕切構造。
【請求項３】
前記間仕切板に設けた連結部を、上下左右対称になるように配置したことを特徴とする請求項１又は請求項２に記載の段ボール製間仕切構造。
【発明の詳細な説明】
【技術分野】
【０００１】
この発明は、災害時に避難所のプライバシーを保護するための段ボール製間仕切構造に関するものである。
【背景技術】
【０００２】
地震や水害などの災害時に被災者は、体育館などの広い室内にて多くの人と共同で避難生活を余儀なくされることになるために被災者はストレスに悩まされている。
【０００３】
プライバシーを保護するために大きな部屋を小さく仕切るための間仕切り板を上部連結段ボールで繋ぎ合わせ、前記間仕切り板が倒れないように下縁に下部連結段ボールを連結している。また、コーナー部にコーナー連結段ボールを四角形状に折り込み、夫々間仕切り板を連結している。（例えば、特許文献１参照。）
【特許文献１】特許３５８５８８０号公報
【発明の開示】
【発明が解決しようとする課題】
【０００４】
しかしながら、上記のように間仕切り板、上部連結段ボール、下部連結段ボール、コーナー連結段ボールと部品点数が多いと、災害のようないつ発生するか予測のつかない場合に保管管理に手間がかかる。
【０００５】
また、下部連結段ボールが間仕切り板より垂直に突起した構造になるために、小部屋に仕切った空間にて邪魔になる。
【０００６】
そこで、この発明は、一種類の部品にて簡単に組み立てることができる段ボール製間仕切構造を提供する事を課題とする。
【課題を解決するための手段】
【０００７】
以上の課題を解決するために、この発明は、一種類の間仕切板を複数連結配置して成る段ボール製間仕切構造であって、前記間仕切板は、中折目を備えた側板の左右端縁に夫々折目を介して端板を連設し、前記中折目に沿ってL字状に折り曲げた二枚の間仕切板の一方の端板部を夫々重ね合わせ、前記中折目から浮遊する前記側板の下縁部に、垂直に起立させた端板を夫々重ね合わせるようにもう一枚の間仕切板を配置し、前記側板、端板が夫々重なり合った部分に連結材を挿入する連結部を設け、固定して成るコ字状間仕切を単数又は複数配列したのである。
【０００８】
そして、前記コ字状間仕切を所定間隔に連結させるための連結部を側板、端板が重なり合う対応位置に夫々設け、連結できるようにしてもよい。
【０００９】
また、前記間仕切板に設けた連結部を、上下左右対称になるように配置してもよい。
【発明の効果】
【００１０】
このような段ボール製間仕切構造であれば、一種類の間仕切板を複数連結配置することにより空間を小部屋に間仕切ることができる。
【００１１】
そして、一種類の間仕切板を製造すればよいため、製造コストを下げることができる。
【００１２】
さらに、在庫管理に手間がかかることなく、緊急時に備えることができる。
【００１３】
また、体育館などの床に直接座ると冷たいが、段ボール製間仕切構造の下面に間仕切板が連結配置されているために保温性を確保できる。また、小部屋に突起などがないために広く部屋を利用することができる。
【００１４】
また、連結部を上下左右対称に配置することで、組立時に上下方向を間違えることなく組み立てることができる。
【発明を実施するための最良の形態】
【００１５】
図１は、この発明に係る段ボール製間仕切構造の間仕切板１０の展開図であり、矩形状の側板１の左右端縁に折目４を介して一対の端板２を夫々設け、側板１の中央に折目４と平行に中折目３を設け、端板２の上下端縁に一対の連結部Aを夫々設け、その上下連結部Aとの距離Lと同じ長さになるように側板１の上下端縁に連結部B、Cを夫々設ける。このとき中折目３側を連結部Cとし、折目４側を連結部Bとし、また、間仕切板１０は中折目３を中心として上下左右対称になるように夫々連結部A、B、Cを配置する。
【００１６】
上記のような展開図からなる間仕切板１０を、図２に示すように、中折目３よりL字状に折り曲げた二枚の間仕切板１０の一方の端板２側同士を重ね合わせ、連結部Aがもう一方の間仕切板１０の連結部Bに夫々重なるように配置し、図３に示すように、連結材２０（プラスチックジョイント）にて連結させる。
【００１７】
次いで、一対の端板２を垂直に起立したもう一枚の間仕切板１０を準備し、連結部Aを上記で連結させた二枚の間仕切板１０の中折目３より浮遊する一対の側板１の下縁に設けた連結部B、Cに前記連結部Aが夫々重なるように配置し連結材２０にて連結させることで、コ字状間仕切３０を形成することができる。
【００１８】
このように、L字状に折り曲げた側板１が外側に開くことを防止する間仕切板１０を下面に連結配置したことで、図４に示すようなコ字状の囲いを保持することができるのである。
【００１９】
次いで、コ字状間仕切３０を多数連結し、多数の小部屋を形成する方法について説明する。先ず、図５に示すように、２つのコ字状間仕切３０の一方の端板２に設けた連結部A同士が重なり合うようにS字状に配置し、連結材２０にて連結する。そして、同様にして前記のようにコ字状間仕切３０を数セット連結させ、その連結されたコ字状間仕切３０同士をさらに連結させるために、折目４よりL字に折り曲げたコーナー部に設けた連結部C同士を重ね合わせ連結材２０にて連結配置していくことにより、二列に連なった多数の小部屋を形成することができる。
【００２０】
また、S字状に連結したコ字状間仕切３０の折目４よりL字に折り曲げたコーナー部に設けた連結部Cと、S字状に連結していないコ字状間仕切３０の連結部Aとを重ね合わせ連結材２０にて連結配置することで大きいサイズの小部屋を形成することができる。
【００２１】
さらに、図６に示すように、S字状に連結配置したコ字状間仕切３０を数セット準備し、連結していない側の連結部A同士を連結配置していくことで、一列に連なった多数の小部屋を形成することができる。  
【００２２】
なお、本発明の前記実施形態での連結部A、B、Cに挿入する連結材２０は、プラッスチックジョイントを使用しているが、金具などの連結材を使用しても同様の効果を得ることができる。
【図面の簡単な説明】
【００２３】
【図１】本発明の段ボール製間仕切板の展開図である。
【図２】コ字状間仕切を組み立てる過程を示す斜視構成図である。
【図３】連結材を挿入する状態を示す斜視構成図である。
【図４】コ字状間仕切３０を組み立てた状態を示す斜視構成図である。
【図５】コ字状間仕切を二列に連結配置させた状態を示す斜視構成図である。
【図６】コ字状間仕切を一列に連結配置させた状態を示す斜視構成図である。
【符号の説明】
【００２４】
１  側板
２  端板
３  中折目
４  折目
A、B、C  連結部
１０  間仕切板
２０  連結材
３０  コ字状間仕切
【図１】
2006328834.tif 000003
【図２】
2006328834.tif 000004
【図３】
2006328834.tif 000005
【図４】
2006328834.tif 000006
【図５】
2006328834.tif 000007
【図６】
2006328834.tif 000008